(57)【要約】【課題】洗浄装置により洗浄されたリライト媒体を回収トレイへ円滑に排出移動させ得るリライト媒体排出方法及び装置を提供する。【解決手段】リライト媒体洗浄装置２の排出口２１からこれよりも下方に位置する回収トレイ３上の媒体回収空間３１に至る媒体排出移動経路４に向けて下方から空気流５を送給する空気流送給部１１（ファン１２、ブラケット１３）を設け、そこからの空気流５によって媒体排出移動経路４を移動中のリライト媒体６の下面に浮力を作用させつつそのリライト媒体６を排出移動させる。媒体排出移動経路４を移動中のリライト媒体６に対して、下面に浮力を作用させると共に乾燥を施し、媒体前端部の屈曲や中間部の垂下がり（回収トレイ３上面又は回収済みリライト媒体６上面との貼付き、密着）を生じさせずに回収されるようにした。【選択図】図２
2009137742.tif 000002
【特許請求の範囲】
【請求項１】
リライト媒体の洗浄装置の排出口からこの排出口よりも下方に位置する回収トレイ上の媒体回収空間に至る媒体排出移動経路に向けて下方から空気流を送給し、その媒体排出移動経路を移動中のリライト媒体の下面に浮力を作用させつつそのリライト媒体を排出移動させることを特徴とするリライト媒体排出方法。
【請求項２】
リライト媒体の洗浄装置の排出口からこの排出口よりも下方に位置する回収トレイ上の媒体回収空間に至る媒体排出移動経路に向けて下方から空気流を送給する空気流送給部を備え、
この空気流送給部からの空気流によって前記媒体排出移動経路を移動中のリライト媒体の下面に浮力を作用させつつそのリライト媒体を排出移動させることを特徴とするリライト媒体排出装置。
【請求項３】
前記空気流送給部は、
空気流を発生させるファンと、
このファンからの空気流を前記媒体排出移動経路に向けて下方から送給し、その媒体排出移動経路を移動中のリライト媒体の下面に浮力を作用させつつそのリライト媒体を排出移動させ得るように前記ファンを取付固定するブラケットとを備えて構成されることを特徴とする請求項２に記載のリライト媒体排出装置。
【発明の詳細な説明】
【技術分野】
【０００１】
本発明は、洗浄装置により洗浄されたリライト媒体を装置外に排出する方法及び装置に関するものである。
【背景技術】
【０００２】
従来から、書き換え可能な表示面を備えるリライト媒体が開発されている（例えば特許文献１参照）。このリライト媒体は、使用後に洗浄装置によって洗浄され、洗浄後に乾燥されてトレイに排出回収され、再利用される。
【０００３】
【特許文献１】特開２０００−７１６６１号公報
【発明の開示】
【発明が解決しようとする課題】
【０００４】
しかしながら上記リライト媒体は、
（１）洗浄後の乾燥が十分に行われていなかったり（湿気が残っていたり）、排出時における周囲湿度が高い揚合、
（２）洗浄装置内の高温により排出時において高温となっている場合、
（３）洗浄装置の排出口と回収トレイ上面との高低差が小さかったり、排出回収されたリライト媒体が回収トレイ上面に高く積まれ、洗浄装置の排出口と最上位置のリライト媒体面との高低差が小さくなったりした場合に、
洗浄装置から回収トレイへ良好に排出されないという排出不良が生じた。
【０００５】
上掲（１）の場合には、リライト媒体（以下、媒体とも記す。）は湿気を帯びており、これが洗浄装置から排出されると、回収トレイ上の最上位置の回収済み媒体（最上面回収済み媒体）に排出回収途中の媒体（排出移動中媒体）が湿気によって貼り付いて密着し、それ以上の排出移動ができなくなるからである。
上掲（２）の場合には、リライト媒体は洗浄装置内の高温によってその硬度（腰の強さ）が低下する。このため洗浄装置から排出されたリライト媒体は、洗浄装置の排出口から垂れ下がり、回収トレイ上の最上面回収済み媒体との接触面積を前端部側から増加させつつ排出移動する。すると、上記最上面回収済み媒体に対する摩擦抵抗が大きくなり、これがある大きさを超えると排出移動中媒体はそれ以上の移動ができなくなるからである。
上掲（３）の場合には、リライト媒体は洗浄装置から排出された直後から回収トレイ上面又は回収トレイ上の最上面回収済み媒体の上面と面接触し、接触面積を前端部側から増加させつつ排出移動する。すると上掲（２）の場合と同様に、両媒体間に生ずる摩擦抵抗が大きくなり、それがある大きさを超えると排出移動中媒体はそれ以上の移動ができなくなるからである。
また、洗浄装置における洗浄液の残渣がリライト媒体に付着している場合も、同様に排出不良が発生した。
そこで従来から、上記のようなリライト媒体の排出不良を防止できる方法、装置の開発が望まれていた。
【０００６】
本発明の課題は、洗浄装置により洗浄されたリライト媒体を回収トレイへ排出する際のリライト媒体の排出不良を防止できるリライト媒体排出方法及び装置を提供することにある。
【課題を解決するための手段】
【０００７】
上記課題は、リライト媒体排出方法及び装置を下記各態様の構成とすることによって解決される。
各態様は、請求項と同様に、項に区分し、各項に番号を付し、必要に応じて他の項の番号を引用する形式で記載する。これは、あくまでも本発明の理解を容易にするためであり、本明細書に記載の技術的特徴及びそれらの組合わせが以下の各項に記載のものに限定されると解釈されるべきではない。また、１つの項に複数の事項が記載されている場合、それら複数の事項を常に一緒に採用しなければならないわけではなく、一部の事項のみを取り出して採用することも可能である。
【０００８】
以下の各項のうち、（１）項が請求項１に、（２）項が請求項２に、（３）項が請求項３に、各々対応する。
【０００９】
（１）リライト媒体の洗浄装置の排出口からこの排出口よりも下方に位置する回収トレイ上の媒体回収空間に至る媒体排出移動経路に向けて下方から空気流を送給し、その媒体排出移動経路を移動中のリライト媒体の下面に浮力を作用させつつそのリライト媒体を排出移動させることを特徴とするリライト媒体排出方法。
（２）リライト媒体の洗浄装置の排出口からこの排出口よりも下方に位置する回収トレイ上の媒体回収空間に至る媒体排出移動経路に向けて下方から空気流を送給する空気流送給部を備え、この空気流送給部からの空気流によって前記媒体排出移動経路を移動中のリライト媒体の下面に浮力を作用させつつそのリライト媒体を排出移動させることを特徴とするリライト媒体排出装置。
（３）前記空気流送給部は、空気流を発生させるファンと、このファンからの空気流を前記媒体排出移動経路に向けて下方から送給し、その媒体排出移動経路を移動中のリライト媒体の下面に浮力を作用させつつそのリライト媒体を排出移動させ得るように前記ファンを取付固定するブラケットとを備えて構成されることを特徴とする（２）項に記載のリライト媒体排出装置。
【発明の効果】
【００１０】
本発明のリライト媒体排出方法及び装置によれば、媒体排出移動経路を移動中のリライト媒体はその下面に浮力が作用されると共に乾燥され、冷却される。したがって、媒体排出移動経路を移動中のリライト媒体は、前端部の屈曲や中間部の垂下がりを生じさせずに回収でき、洗浄装置によって洗浄されたリライト媒体を回収トレイへ排出する際のリライト媒体の排出不良を防止することができる。
【発明を実施するための最良の形態】
【００１１】
以下、本発明の実施の形態を図面に基づき説明する。なお、各図間において、同一符号は同一又は相当部分を示す。
図１は、本発明方法が適用された装置（リライト媒体排出装置）の一実施形態をリライト媒体の洗浄装置及び供給装置と共に示す斜視図、図２は同じく側面図である。
両図に示すように、リライト媒体排出装置１は、リライト媒体洗浄装置２の排出口２１からこの排出口２１よりも下方に位置する回収トレイ３上の媒体回収空間３１に至る媒体排出移動経路４に向けて下方から空気流５を送給し、媒体排出移動経路４を移動中のリライト媒体６（図２参照）の下面に浮力を作用させつつそのリライト媒体６を排出移動させる装置である。
このようなリライト媒体排出装置１によると、媒体排出移動経路４を移動中のリライト媒体６は、重力と上記浮力を受けつつ回収トレイ３上の媒体回収空間３１内に排出移動される。
【００１２】
本実施形態によるリライト媒体排出装置１は、上記媒体排出移動経路４に向けて下方から空気流５を送給可能な空気流送給部１１を備える。この空気流送給部１１は、図示例では媒体排出移動経路４の上記洗浄装置排出口２１寄りに配置されたファン１２及びこのファン１２を取り付けるブラケット１３とを備えてなる。
ブラケット１３は、ファン１２からの空気流５を媒体排出移動経路４に向けて下方から送給し、同経路４を移動中のリライト媒体６（図２参照）の下面に浮力を作用させつつ同媒体６を排出移動させ得る位置及び向きに上記ファン１２を取付固定する。
図示例では、ブラケット１３は縦断面が逆Ｌ字状に形成されている。そして、その横方向に向けられた横平板部１４が上記排出口２１の直下部から媒体排出移動経路４の下流側（回収トレイ３上の媒体回収空間３１側）に受板状に適宜長延出し、縦平板部１５がリライト媒体洗浄装置２の筐体２２の正面板２３に固着されている。
ファン１２は、ブラケット１３の横平板部１４のほぼ中央部において空気流５を上方に送給する向きに取り付けられている。
【００１３】
リライト媒体洗浄装置２は、リライト媒体６を装置内に通すだけで同媒体６の汚れや書込み等を自動的に洗浄、除去する公知の装置であり、例えば搬入ローラ２４、洗浄ブラシ２５、吸水ローラ２６、乾燥ファン２７及び排出ローラ２８を備えてなる。
上記搬入ローラ２４はリライト媒体供給装置７からの使用後のリライト媒体６を洗浄装置内に搬入するローラ、洗浄ブラシ２５は搬入されたリライト媒体６に付着している汚れ、インク、マーカペンによるチェック痕等を洗浄、除去するブラシである。また、吸水ローラ２６は洗浄されたリライト媒体６に付着した洗浄液を吸水除去するローラ、乾燥ファン２７は吸水ローラ２６からの湿潤したリライト媒体６を乾燥させるファン、排出ローラ２８は乾燥されたリライト媒体６を排出口２１から装置外に排出するローラである。
リライト媒体排出装置１のファン１２によって、吸水ローラ２６からの湿潤したリライト媒体６を乾燥可能であれば上記乾燥ファン２７を省略してもよく、あるいは両ファン１２，２７を併用してもよい。乾燥ファン２７が省略されれば、その分、リライト媒体洗浄装置２の構成は簡易化され、コストの低減が図れる。
このリライト媒体洗浄装置２は、上記リライト媒体供給装置７に多数枚収容された使用後のリライト媒体６を連続して自動洗浄可能である。
【００１４】
次に、上述したリライト媒体排出装置１の動作について説明する。
いま、リライト媒体洗浄装置２によって汚れや書込みが洗浄、除去されたリライト媒体６が同装置２の排出口２１から排出されると、同媒体６は媒体排出移動経路４を経て回収トレイ３上の媒体回収空間３１内に排出移動される。すなわち回収トレイ３上に積層、回収される。
ここで、リライト媒体排出装置１は、空気流送給部１１を備えてなり、この空気流送給部１１を構成するファン１２からの空気流５を媒体排出移動経路４に向けて下方から送給する。そして、媒体排出移動経路４を移動中のリライト媒体６（図２参照）の下面に浮力を作用させつつそのリライト媒体６を回収トレイ３上（媒体回収空間３１内）に向けて排出移動させる。
【００１５】
媒体排出移動経路４を移動中のリライト媒体６は重力を受けて排出口２１よりも下方に位置する回収トレイ３上に向け排出、降下するが、上述したようにこの際、その下面には浮力が作用し、また空気流５によって乾燥され、冷却される。
これによりリライト媒体６は、前端部の屈曲や中間部の垂下がりが生じることなく、ほぼ平面状にて回収トレイ３上面（又は回収済みリライト媒体６上面）に落下、回収される。すなわち、回収トレイ３上の最上面回収済み媒体６に排出回収途中の媒体（排出移動中媒体）６が貼り付いて密着したり、最上面回収済み媒体６との接触面積が増加することなく、円滑に回収トレイ３上面（又は回収済みリライト媒体６上面）に回収、積層され、上掲（１）〜（３）の場合におけるような排出不良の発生が防止される。
【００１６】
なお上述実施形態では、リライト媒体排出装置１をファン１２及びブラケット１３からなる空気流送給部１１を備えて構成したが、この構成のみに限定されることはない。リライト媒体洗浄装置２の排出口２１から同排出口２１よりも下方に位置する回収トレイ３上の媒体回収空間３１に至る媒体排出移動経路４に向けて下方から空気流５を送給し、同経路４を移動中のリライト媒体６の下面に浮力を作用させつつ同媒体６を排出移動させることが可能であれば、どのような構成であってもよい。
【００１７】
リライト媒体排出装置１を構成するファン１２は交流駆動タイプ、直流駆動タイプどちらでもよいが、リライト媒体洗浄装置２と同じ電源により駆動されるタイプが好ましく、通常は商用交流電源により駆動されるタイプが選択される。このファン１２は、リライト媒体洗浄装置２の洗浄動作開始前までに、例えば洗浄装置２の電源投入と同時に電源供給されて回転し、空気流送給動作を開始することが好ましい。しかし、ファン１２の電源供給をリライト媒体洗浄装置２の洗浄動作開始と連係させることは必須ではなく、リライト媒体洗浄装置２から独立してその電源のＯＮ／ＯＦＦを可能としてもよい。
また、本発明のリライト媒体排出装置１を、リライト媒体洗浄装置２の一部として同洗浄装置２に組込構成してもよいことは勿論である。
【図面の簡単な説明】
【００１８】
【図１】本発明方法が適用された装置（リライト媒体排出装置）の一実施形態をリライト媒体洗浄装置等と共に示す斜視図である。
【図２】同じく側面図である。
【符号の説明】
【００１９】
１：リライト媒体排出装置、１１：空気流送給部、１２：ファン、１３：ブラケット、２：リライト媒体洗浄装置、２１：排出口、３：回収トレイ、３１：媒体回収空間、４：媒体排出移動経路、５：空気流、６：リライト媒体。
【図１】
2009137742.tif 000003
【図２】
2009137742.tif 000004